(57)【要約】【課題】住宅の壁面に外壁材を割り付ける場合に、自動的に行うことができる設計支援装置を提供する。【解決手段】スキャナーによって４方向の設計図面を入力し、各設計図面のスケール設定を行い、割り付ける外壁材の外壁材を設定し、設計図面における実寸を計算し、外壁材の真物の初期割り付けを行い、真物の割付開始点を移動させ、真物と切物を自動的に割り付け処理を行い、全ての方向の設計図面においても同様に上記処理を行い、これら設計図面を印刷する。【選択図】      図２
2005332281.tif 000002
【特許請求の範囲】
【請求項１】
建築物の外壁、または、内壁などの壁面に板状またはシート状の長方形部材を割り付ける設計支援装置において、
前記割り付ける長方形部材の長方形部材識別番号、一枚の縦寸法及び横寸法を有するものを真物として真物データ記憶手段に記憶させる真物データ設定手段と、
前記一枚の真物、または、一枚の切物を切断した一枚の長方形の切物の切物識別番号、縦寸法及び横寸法を記憶する切物データ記憶手段と、
前記壁面の上辺の長さ、下辺の長さ、左辺の長さ、右辺の長さを計算する実寸計算手段と、
前記壁面中の指定された真物割付開始点を中心にして、前記真物データ記憶手段に記憶された前記長方形部材の真物を上下左右方向に格子状に前記実寸計算した壁面に割り付ける真物割付手段と、
前記真物を割り付けた格子状の領域以外の格子状の各領域を切物割付領域として設定する切物割付領域設定手段と、
前記切物割付領域毎に、前記切物データ記憶手段に記憶されている切物を割り付けられるか否かを判断し、割り付けが可能なときは、前記記憶されている切物をそのままの大きさ、または、切断した大きさで割り付け、また、割り付けが不可能なときは、前記真物を切断して新たに作成した切物を割り付ける切物割付手段と、
前記切物割付領域毎に、前記切物割付手段において割り付けた切物を切物データ記憶手段から削除し、次に、前記真物を切断して新たに作成した切物の残った部分、または、前記記憶された切物を切断して残った部分で、かつ、所定の切物判定条件を具備する部分を新たな切物として、切物識別番号を新たに付与し、かつ、この縦寸法及び横寸法と共に前記切物データ記憶手段に記憶させる切物データ更新手段と、
前記壁面に前記真物と前記記憶した切物と前記新たに作成した切物とを割り付けた状態の図面を出力する出力手段と、
を有する
ことを特徴とする設計支援装置。
【請求項２】
前記壁面に前記長方形部材を横貼りするときの前記真物割付手段は、
前記壁面中の真物割付開始点を中心にして縦方向と横方向に格子状に前記長方形部材を前記壁面の上辺、下辺、左辺、右辺に到達するまで割付け、
前記左右の各辺に到達した長方形部材の横寸法が、前記長方形部材の真物の横寸法より小さいときは、その領域に前記真物を割り付けず、その領域を切物割付領域として設定する
ことを特徴とする請求項１記載の設計支援装置。
【請求項３】
前記壁面に前記長方形部材を縦貼りするときの前記真物割付手段は、
前記壁面中の真物割付開始点を中心にして縦方向と横方向に格子状に前記長方形部材を前記壁面の上辺、下辺、左辺、右辺に到達するまで割付け、
前記上下の各辺に到達した長方形部材の縦寸法が、前記長方形部材の真物の縦寸法より小さいときは、その領域に前記真物を割り付けず、その領域を切物割付領域として設定する
ことを特徴とする請求項１記載の設計支援装置。
【請求項４】
前記切物割付手段は、
前記壁面中の指定された切物割付開始点からみて所定の方向にある切物割付領域毎に切物を順番に割り付け、
前記割り付ける切物は、前記切物データ記憶手段に記憶されている切物の中で、前記切物割付条件を具備するものを検索して、その検索した切物の大きさで、または、前記切物割付領域に対応させて切断した大きさで割付けるものであり、
前記切物割付条件とは、前記切物割付領域の横寸法と縦寸法より大きい横寸法と縦寸法を有する切物であり、かつ、前記切物割付領域の横寸法、または、縦寸法と前記切物の横寸法、または、縦寸法の差が最小のものを検索する
ことを特徴とする請求項１記載の設計支援装置。
【請求項５】
前記切物更新手段における切物判定条件とは、
前記切物割付手段において割り付けた真物、または、切物の残りの部分が長方形のときは、この残りの部分を新たに切物として記憶し、
前記切物割付手段において割り付けた真物、または、切物の残りの部分が斜めに切断された状態のときは、この残りの部分を新たに記憶する切物から除外する
ことを特徴とする請求項１記載の設計支援装置。
【請求項６】
前記壁面に前記長方形部材を横貼りするときの前記切物更新手段における切物判定条件とは、
前記切物割付手段において割り付けた真物、または、切物の残りの部分の縦寸法が、前記真物の縦寸法と等しいときはこの部分を新たに切物として記憶し、前記真物の縦寸法より小さいときはこの部分を記憶しない
ことを特徴とする請求項１記載の設計支援装置。
【請求項７】
前記壁面に前記長方形部材を縦貼りするときの前記切物更新手段における切物判定条件とは、
前記新切物割付手段において割り付けた真物、または、切物の残りの部分の横寸法が、前記真物の横寸法と等しいときはこの部分を新たに切物として記憶し、前記真物の横寸法より小さいときはこの部分を記憶しない
ことを特徴とする請求項１記載の設計支援装置。
【請求項８】
前記真物割付手段及び前記切物割付手段で使用した真物の枚数を記憶する真物枚数記憶手段を有する
ことを特徴とする請求項１記載の設計支援装置。
【請求項９】
前記壁面の図面を入力する図面入力手段を有し、
前記実寸計算手段は、前記入力した図面に基づいて前記壁面の上辺の長さ、下辺の長さ、左辺の長さ、右辺の長さを計算する
ことを特徴とする請求項１記載の設計支援装置。
【請求項１０】
前記壁面の画像を入力する画像入力手段を有し、
前記実寸計算手段は、前記入力した壁面の画像に基づいて前記壁面の上辺の長さ、下辺の長さ、左辺の長さ、右辺の長さを計算する
ことを特徴とする請求項１記載の設計支援装置。
【請求項１１】
建築物の外壁、または、内壁などの壁面に板状またはシート状の長方形部材をコンピュータによって割り付ける設計支援方法において、
前記割り付ける長方形部材の長方形部材識別番号、一枚の縦寸法及び横寸法を有するものを真物として真物データ記憶手段に記憶させる真物データ設定ステップと、
前記一枚の真物、または、一枚の切物を切断した一枚の長方形の切物の切物識別番号、縦寸法及び横寸法を切物データ記憶手段に記憶させる切物データ設定ステップと、
前記壁面の図面を入力する図面入力ステップと、
前記入力した図面に基づいて前記壁面の上辺の長さ、下辺の長さ、左辺の長さ、右辺の長さを計算する実寸計算ステップと、
前記壁面中の指定された真物割付開始点を中心にして、前記真物データ記憶手段に記憶された前記長方形部材の真物を上下左右方向に格子状に前記壁面に割り付ける真物割付ステップと、
前記真物を割り付けた格子状の領域以外の格子状の各領域を切物割付領域として設定する切物割付領域設定ステップと、
前記真物を割り付けた領域以外の切物割付領域毎に前記切物データ記憶手段に記憶されている切物を割り付けられるか否かを判断し、割り付けが可能なときは、前記記憶されている切物をそのままの大きさ、または、切断した大きさで割り付け、また、割り付けが不可能なときは、前記真物を切断して新たに作成した切物を割り付ける切物割付ステップと、
前記切物割付領域毎に、前記切物割付ステップにおいて割り付けた切物を切物データ記憶手段から削除し、次に、前記真物を切断して新たに作成した切物の残った部分、または、前記記憶された切物を切断して残った部分で、かつ、所定の切物判定条件を具備する部分を新たな切物として、切物識別番号を新たに付与し、かつ、この縦寸法及び横寸法と共に前記切物データ記憶手段に記憶させる切物データ更新ステップと、
前記壁面に前記真物と前記記憶した切物と前記新たに作成した切物とを割り付けた状態の図面を出力する出力ステップと、
を有する
ことを特徴とする設計支援方法。
【請求項１２】
建築物の外壁、または、内壁などの壁面に板状またはシート状の長方形部材を割り付ける設計支援方法を実現するコンピュータのプログラムにおいて、
前記割り付ける長方形部材の長方形部材識別番号、一枚の縦寸法及び横寸法を有するものを真物として真物データ記憶手段に記憶させる真物データ設定機能と、
前記一枚の真物、または、一枚の切物を切断した一枚の長方形の切物の切物識別番号、縦寸法及び横寸法を切物データ記憶手段に記憶させる切物データ設定機能と、
前記壁面の図面を入力する図面入力機能と、
前記入力した図面に基づいて前記壁面の上辺の長さ、下辺の長さ、左辺の長さ、右辺の長さを計算する実寸計算機能と、
前記壁面中の指定された真物割付開始点を中心にして、前記真物データ記憶手段に記憶された前記長方形部材の真物を上下左右方向に格子状に前記壁面に割り付ける真物割付機能と、
前記真物を割り付けた格子状の領域以外の格子状の各領域を切物割付領域として設定する切物割付領域設定機能と、
前記真物を割り付けた領域以外の切物割付領域毎に前記切物データ記憶手段に記憶されている切物を割り付けられるか否かを判断し、割り付けが可能なときは、前記記憶されている切物をそのままの大きさ、または、切断した大きさで割り付け、また、割り付けが不可能なときは、前記真物を切断して新たに作成した切物を割り付ける切物割付機能と、
前記切物割付領域毎に、前記切物割付機能において割り付けた切物を切物データ記憶手段から削除し、次に、前記真物を切断して新たに作成した切物の残った部分、または、前記記憶された切物を切断して残った部分で、かつ、所定の切物判定条件を具備する部分を新たな切物として、切物識別番号を新たに付与し、かつ、この縦寸法及び横寸法と共に前記切物データ記憶手段に記憶させる切物データ更新機能と、
前記壁面に前記真物と前記記憶した切物と前記新たに作成した切物とを割り付けた状態の図面を出力する出力機能と、
を実現する
ことを特徴とする設計支援方法のプログラム。
【発明の詳細な説明】
【技術分野】
【０００１】
本発明は、住宅やビルなどの建築物の外壁、または、内壁などの壁面に板状またはシート状の長方形部材を割り付ける設計支援システム及びその方法に関するものである。
【背景技術】
【０００２】
建築物を新築、またはリフォームを行うときに、その建築物の外壁または内壁に外壁材または内壁材を貼りつけることがある。このように貼りつける場合に、予めその壁面にどのように外壁材や内壁材を割り付けるかを建築業者が設計し、その数に見合った外壁材や内壁材を発注している。
【０００３】
従来、このような建築物の設計において、割り付けられた個々の部材を特定できる製品名及び製品番号の一覧表を表示させる設計支援システムが提案されている（例えば、特許文献１参照）。
【特許文献１】特開平８−１６１３８０号公報
【発明の開示】
【発明が解決しようとする課題】
【０００４】
上記のような設計支援装置においては、割り付けられた個々の部材を特定する割り付け部材表を出力することは可能であるが、壁面に実際にどのように部材を割り付けるかは、従来通り人間の手で行う必要がある。
【０００５】
そこで、本発明は上記問題点に鑑み、壁面に長方形部材を割り付ける場合に、自動的に行うことができる設計支援装置及びその方法を提供する。
【課題を解決するための手段】
【０００６】
請求項１に係る発明は、建築物の外壁、または、内壁などの壁面に板状またはシート状の長方形部材を割り付ける設計支援装置において、前記割り付ける長方形部材の長方形部材識別番号、一枚の縦寸法及び横寸法を有するものを真物として真物データ記憶手段に記憶させる真物データ設定手段と、前記一枚の真物、または、一枚の切物を切断した一枚の長方形の切物の切物識別番号、縦寸法及び横寸法を記憶する切物データ記憶手段と、前記壁面の上辺の長さ、下辺の長さ、左辺の長さ、右辺の長さを計算する実寸計算手段と、前記壁面中の指定された真物割付開始点を中心にして、前記真物データ記憶手段に記憶された前記長方形部材の真物を上下左右方向に格子状に前記実寸計算した壁面に割り付ける真物割付手段と、前記真物を割り付けた格子状の領域以外の格子状の各領域を切物割付領域として設定する切物割付領域設定手段と、前記切物割付領域毎に、前記切物データ記憶手段に記憶されている切物を割り付けられるか否かを判断し、割り付けが可能なときは、前記記憶されている切物をそのままの大きさ、または、切断した大きさで割り付け、また、割り付けが不可能なときは、前記真物を切断して新たに作成した切物を割り付ける切物割付手段と、前記切物割付領域毎に、前記切物割付手段において割り付けた切物を切物データ記憶手段から削除し、次に、前記真物を切断して新たに作成した切物の残った部分、または、前記記憶された切物を切断して残った部分で、かつ、所定の切物判定条件を具備する部分を新たな切物として、切物識別番号を新たに付与し、かつ、この縦寸法及び横寸法と共に前記切物データ記憶手段に記憶させる切物データ更新手段と、前記壁面に前記真物と前記記憶した切物と前記新たに作成した切物とを割り付けた状態の図面を出力する出力手段と、を有することを特徴とする設計支援装置である。
【０００７】
請求項２に係る発明は、前記壁面に前記長方形部材を横貼りするときの前記真物割付手段は、前記壁面中の真物割付開始点を中心にして縦方向と横方向に格子状に前記長方形部材を前記壁面の上辺、下辺、左辺、右辺に到達するまで割付け、前記左右の各辺に到達した長方形部材の横寸法が、前記長方形部材の真物の横寸法より小さいときは、その領域に前記真物を割り付けず、その領域を切物割付領域として設定することを特徴とする請求項１記載の設計支援装置である。
【０００８】
請求項３に係る発明は、前記壁面に前記長方形部材を縦貼りするときの前記真物割付手段は、前記壁面中の真物割付開始点を中心にして縦方向と横方向に格子状に前記長方形部材を前記壁面の上辺、下辺、左辺、右辺に到達するまで割付け、前記上下の各辺に到達した長方形部材の縦寸法が、前記長方形部材の真物の縦寸法より小さいときは、その領域に前記真物を割り付けず、その領域を切物割付領域として設定することを特徴とする請求項１記載の設計支援装置である。
【０００９】
請求項４に係る発明は、前記切物割付手段は、前記壁面中の指定された切物割付開始点からみて所定の方向にある切物割付領域毎に切物を順番に割り付け、前記割り付ける切物は、前記切物データ記憶手段に記憶されている切物の中で、前記切物割付条件を具備するものを検索して、その検索した切物の大きさで、または、前記切物割付領域に対応させて切断した大きさで割付けるものであり、前記切物割付条件とは、前記切物割付領域の横寸法と縦寸法より大きい横寸法と縦寸法を有する切物であり、かつ、前記切物割付領域の横寸法、または、縦寸法と前記切物の横寸法、または、縦寸法の差が最小のものを検索することを特徴とする請求項１記載の設計支援装置である。
【００１０】
請求項５に係る発明は、前記切物更新手段における切物判定条件とは、前記切物割付手段において割り付けた真物、または、切物の残りの部分が長方形のときは、この残りの部分を新たに切物として記憶し、前記切物割付手段において割り付けた真物、または、切物の残りの部分が斜めに切断された状態のときは、この残りの部分を新たに記憶する切物から除外することを特徴とする請求項１記載の設計支援装置である。
【００１１】
請求項６に係る発明は、前記壁面に前記長方形部材を横貼りするときの前記切物更新手段における切物判定条件とは、前記切物割付手段において割り付けた真物、または、切物の残りの部分の縦寸法が、前記真物の縦寸法と等しいときはこの部分を新たに切物として記憶し、前記真物の縦寸法より小さいときはこの部分を記憶しないことを特徴とする請求項１記載の設計支援装置である。
【００１２】
請求項７に係る発明は、前記壁面に前記長方形部材を縦貼りするときの前記切物更新手段における切物判定条件とは、前記新切物割付手段において割り付けた真物、または、切物の残りの部分の横寸法が、前記真物の横寸法と等しいときはこの部分を新たに切物として記憶し、前記真物の横寸法より小さいときはこの部分を記憶しないことを特徴とする請求項１記載の設計支援装置である。
【００１３】
請求項８に係る発明は、前記真物割付手段及び前記切物割付手段で使用した真物の枚数を記憶する真物枚数記憶手段を有することを特徴とする請求項１記載の設計支援装置である。
【００１４】
請求項９に係る発明は、前記壁面の図面を入力する図面入力手段を有し、前記実寸計算手段は、前記入力した図面に基づいて前記壁面の上辺の長さ、下辺の長さ、左辺の長さ、右辺の長さを計算することを特徴とする請求項１記載の設計支援装置である。
【００１５】
請求項１０に係る発明は、前記壁面の画像を入力する画像入力手段を有し、前記実寸計算手段は、前記入力した壁面の画像に基づいて前記壁面の上辺の長さ、下辺の長さ、左辺の長さ、右辺の長さを計算することを特徴とする請求項１記載の設計支援装置である。
【００１６】
請求項１１に係る発明は、建築物の外壁、または、内壁などの壁面に板状またはシート状の長方形部材をコンピュータによって割り付ける設計支援方法において、前記割り付ける長方形部材の長方形部材識別番号、一枚の縦寸法及び横寸法を有するものを真物として真物データ記憶手段に記憶させる真物データ設定ステップと、前記一枚の真物、または、一枚の切物を切断した一枚の長方形の切物の切物識別番号、縦寸法及び横寸法を切物データ記憶手段に記憶させる切物データ設定ステップと、前記壁面の図面を入力する図面入力ステップと、前記入力した図面に基づいて前記壁面の上辺の長さ、下辺の長さ、左辺の長さ、右辺の長さを計算する実寸計算ステップと、前記壁面中の指定された真物割付開始点を中心にして、前記真物データ記憶手段に記憶された前記長方形部材の真物を上下左右方向に格子状に前記壁面に割り付ける真物割付ステップと、前記真物を割り付けた格子状の領域以外の格子状の各領域を切物割付領域として設定する切物割付領域設定ステップと、前記真物を割り付けた領域以外の切物割付領域毎に前記切物データ記憶手段に記憶されている切物を割り付けられるか否かを判断し、割り付けが可能なときは、前記記憶されている切物をそのままの大きさ、または、切断した大きさで割り付け、また、割り付けが不可能なときは、前記真物を切断して新たに作成した切物を割り付ける切物割付ステップと、前記切物割付領域毎に、前記切物割付ステップにおいて割り付けた切物を切物データ記憶手段から削除し、次に、前記真物を切断して新たに作成した切物の残った部分、または、前記記憶された切物を切断して残った部分で、かつ、所定の切物判定条件を具備する部分を新たな切物として、切物識別番号を新たに付与し、かつ、この縦寸法及び横寸法と共に前記切物データ記憶手段に記憶させる切物データ更新ステップと、前記壁面に前記真物と前記記憶した切物と前記新たに作成した切物とを割り付けた状態の図面を出力する出力ステップと、を有することを特徴とする設計支援方法である。
【００１７】
請求項１２に係る発明は、建築物の外壁、または、内壁などの壁面に板状またはシート状の長方形部材を割り付ける設計支援方法を実現するコンピュータのプログラムにおいて、前記割り付ける長方形部材の長方形部材識別番号、一枚の縦寸法及び横寸法を有するものを真物として真物データ記憶手段に記憶させる真物データ設定機能と、前記一枚の真物、または、一枚の切物を切断した一枚の長方形の切物の切物識別番号、縦寸法及び横寸法を切物データ記憶手段に記憶させる切物データ設定機能と、前記壁面の図面を入力する図面入力機能と、前記入力した図面に基づいて前記壁面の上辺の長さ、下辺の長さ、左辺の長さ、右辺の長さを計算する実寸計算機能と、前記壁面中の指定された真物割付開始点を中心にして、前記真物データ記憶手段に記憶された前記長方形部材の真物を上下左右方向に格子状に前記壁面に割り付ける真物割付機能と、前記真物を割り付けた格子状の領域以外の格子状の各領域を切物割付領域として設定する切物割付領域設定機能と、前記真物を割り付けた領域以外の切物割付領域毎に前記切物データ記憶手段に記憶されている切物を割り付けられるか否かを判断し、割り付けが可能なときは、前記記憶されている切物をそのままの大きさ、または、切断した大きさで割り付け、また、割り付けが不可能なときは、前記真物を切断して新たに作成した切物を割り付ける切物割付機能と、前記切物割付領域毎に、前記切物割付機能において割り付けた切物を切物データ記憶手段から削除し、次に、前記真物を切断して新たに作成した切物の残った部分、または、前記記憶された切物を切断して残った部分で、かつ、所定の切物判定条件を具備する部分を新たな切物として、切物識別番号を新たに付与し、かつ、この縦寸法及び横寸法と共に前記切物データ記憶手段に記憶させる切物データ更新機能と、前記壁面に前記真物と前記記憶した切物と前記新たに作成した切物とを割り付けた状態の図面を出力する出力機能と、を実現することを特徴とする設計支援方法のプログラムである。
【発明の効果】
【００１８】
請求項１に係る発明の設計支援装置について説明する。
【００１９】
第１に、実寸計算手段において、壁面の上辺の長さ、下辺の長さ、左辺の長さ、右辺の長さを計算する。
【００２０】
第２に、真物割付手段において、図面の壁面中に指定された真物割付開始点を中心にして、真物データ記憶手段に記憶された長方形部材の真物を上下左右方向に格子状に実寸計算した壁面に割り付ける。
【００２１】
第３に、切物割付領域設定手段において、真物を割り付けた格子状の領域以外の壁面中の格子状の各領域を切物割付領域として設定する。
【００２２】
第４に、切物割付手段において、切物割付領域毎に切物データ記憶手段に記憶されている切物を割り付けられるか否かを判断する。割り付けが可能なときは、記憶されている切物をそのままの大きさ、または、切断した大きさで割り付ける。一方、割り付けが不可能なときは、真物を切断して新たに作成した切物を割り付ける。
【００２３】
第５に、切物データ更新手段が、切物割付領域毎に切物割付手段において割り付けた切物に関するデータを切物データ記憶手段から削除する。次に、真物を切断して新たに作成した切物の残った部分、または、記憶された切物を切断して残った部分で、かつ、所定の切物判定条件を具備する部分を新たな切物として、切物識別番号を新たに付与し、かつ、この縦寸法及び横寸法と共に切物データ記憶手段に記憶させる。
【００２４】
第６に、出力手段が、壁面に真物と記憶した切物と新たに作成した切物とを割り付けた状態の図面を出力する。
【００２５】
このように請求項１に係る発明の設計支援装置においては、壁面に自動的に真物が割り付けられ、その後に切物を割り付けることができるため、簡単に壁面上に長方形部材を割り付けることができる。
【００２６】
請求項１１、請求項１２に係る発明も同様に、壁面中に自動的に真物及び切物を割り付けることができる。
【発明を実施するための最良の形態】
【００２７】
（第１の実施形態）
以下、本発明の第１の実施形態の設計支援装置１０について、図１から図１３に基づいて説明する。
【００２８】
本実施形態の設計支援装置１０は、住宅の外壁に長方形状の外壁材を貼りつける場合に、その設計を支援するシステムであって、パソコン上で動作するプログラムによって実現することができる。
【００２９】
（１）用語の説明
まず、本明細書において使用される用語について説明する。
【００３０】
「割り付け」とは、壁面上に長方形部材の一つである外壁材を順番に配置することをいう。
【００３１】
「真物」とは、割り付けを行う外壁材に対して、出荷された状態の部材サイズのまま割り付けが可能な外壁材を表す。外壁材の場合の部材サイズとは、出荷された状態の部材ではなく、出荷された状態の部材サイズ範囲内で建物のモジュールの倍数にカットされた部材を表す。例えば、建物モジュールが、９１０ｍｍモジュールの場合で、出荷状態の横の長さが３０３０ｍｍの部材サイズの場合では、３０３０ｍｍ以下でかつ９１０ｍｍの倍数の最大値３で、割り付けに使用される部材サイズは、９１０ｍｍ×３＝２７３０ｍｍとなる。
【００３２】
「切物」とは、割り付けを行う部材に対して、元の部材サイズから切断を施し、割り付けを行う部材を表す。切断される許容範囲については、外壁材を縦張り、横張り共に出荷された状態の部材の長さまでとする。
【００３３】
（２）設計支援装置１０の構成
図１に基づいて設計支援装置１０の構成について説明する。
【００３４】
設計支援装置１０は、制御部１２と、この制御部１２に接続された液晶表示装置よりなる表示装置１４、プリンター１６、キーボード１８、マウス２０、スキャナー２２よりなる。また、この制御部１２は、複数の記憶装置を有し、第１の記憶装置は部材データを記憶する部材データ記憶装置２４であり、第２の記憶装置は真物データを記憶する真物データ記憶手段２６であり、第３の記憶装置は切物データを記憶する切物データ記憶手段２８である。
【００３５】
この設計支援装置１０の各装置はパソコンによって実現することができる。
【００３６】
（３）設計支援装置１０の動作状態
次に、上記構成の設計支援装置１０を用いて、設計者が住宅の外壁に外壁材を自動的に割り付ける処理内容を図２に基づいて順番に説明する。なお、この処理内容を実現するプログラムが、制御部１２に記憶されている。
【００３７】
ステップ１において、住宅の外壁が示されている設計図面をスキャナー２２によって入力する。この場合に、少なくともその住宅の東西南北の４方向の設計図面を入力し、必要であれば平面の設計図面や、東西南北の４方向の図面からでは、見えない位置の壁面の設計図面も入力する。
【００３８】
ステップ２において、入力した各設計図面についてスケール設定を行う。すなわち、表示装置１４の画面上に表示されている設計図面を、拡大または縮小を行うことにより、例えば１００分の１のスケールで設定する。この場合に、設計図面の入力が傾いている場合にはその傾きなどを補正する。そして、図４に示すように、画面上の１．０ｃｍが実際の１ｍになるように設定する。
【００３９】
ステップ３において、その外壁に割り付ける外壁材の部材を部材データ記憶装置２４に記憶されている外壁材から選択して設定する。この部材データ記憶装置２４には、各外壁材の外壁材識別番号、真物における一枚の縦寸法及び横寸法が記憶されている。なお、この設計支援装置１０において割り付ける部材の形状は正方形を含む長方形とする。
【００４０】
ステップ４において、スケール設定した設計図面中の一方向の壁面の実寸計算を行う。ここでは、まず南方向の壁面の実寸計算を行うこととするので、南立面図における壁面の実寸を計算する。
【００４１】
第１に、図４において、各壁面における長さａ〜ｇと、３個の窓のｈ〜ｍの長さを求める。この長さを求める方法は、マウス２０によってカーソルを、ａの一端の点である壁面の左下の点Ｏ（以下、壁面原点Ｏという）から他端の点Ａまで移動させ、その移動距離に応じて長さを求める。この移動距離は、前記したように１００分の１のスケールによって表すことができる。なお、画面上の壁面原点Ｏと点Ａの座標位置も併せて記憶しておく。この座標位置は、図４における直交系の絶対座標系ｘ−ｏ−ｙに基づいて行う。なお、この点ｏは、絶対座標系の原点である。
【００４２】
第２に、ｈ〜ｍによって３個の窓の開口部面積を求める。この計算は、上記で求めたｈとｉを積算して求める。
【００４３】
第３に、ａ〜ｇによって壁面全体の面積を求める。
【００４４】
第４に、壁面全体の面積から３個の窓の開口部面積を差し引き、壁面の真の面積も求める。
【００４５】
ステップ５において、外壁材の初期割り付けを行う。なお、外壁材を横貼りで割り付けることとする。
【００４６】
第１に、ステップ３において割り付ける外壁材が設定されているので、その設定された外壁材の外壁材識別番号、真物の縦寸法及び横寸法が真物データ記憶装置２６に転送される。
【００４７】
第２に、初期割り付けは、壁面原点Ｏを中心にして、図５に示すように、右方向と上方向に格子状に選択された外壁材の真物データの縦寸法及び横寸法毎に格子状に領域を区切っていく。すなわち、図５における壁面中の横長の長方形の領域が一枚の外壁材が横貼りで貼り付けられた状態の図面である。
【００４８】
ステップ６において、設計者は、この初期割り付けの状態を表示装置１４で確認し、その割り付け状態が美観的、機能的に良いか否かを判断し問題がある場合にはその真物を割り付ける開始点（以下、真物割付開始点という）を壁面原点Ｏから移動させる。例えば、図６においては、真物割付開始点を右方向に移動させ、真物割付開始点をＰ点に移動させる。
【００４９】
ステップ７において、真物割付開始点Ｐを中心に格子状に真物及び切物を割り付ける。この割り付け処理については後から詳しく説明する。この割り付け処理が終了した状態が図７の状態であり、この南立面図において、各外壁材が割り付けられた状態を示し、この外壁材上に示されている符号は、方向（例えば、「南」である）、真物であるＦ、切物であるＣ、各番号は真物識別番号及び切物識別番号を表す。
【００５０】
ステップ８において、他の方向の設計図面についても割り付けを行うか否かを判断する。この判断は予め優先順位を決定し、最初は南立面図を行い、その後に東立面図、西立面図、北立面図の順番に行う。
【００５１】
そして、４つの立面図の全てに割り付けが終了すると、ステップ９に進み、全ての立面図の設計図面を印刷し終了する。そして、まだ、次の立面図が存在する場合にはステップ４に戻る。
【００５２】
このように、各方向の立面図毎に割り付けを自動的に行うことができ、その場合に真物割付開始点を移動して、最も美観のよい状態で割り付けることができる。
【００５３】
（４）割り付け処理
次に、図２のフローチャートにおけるステップ７の割り付け処理の詳細について、図３のフローチャートに基づいて説明する。
【００５４】
ステップ１１において、真物割付開始点Ｐから真物を割り付ける。なお、以下の説明では外壁材を横貼りで割り付けることとする。
【００５５】
この割り付け方法は、図７において、点Ｐを中心に上方向及び左右方向にそれぞれ真物の縦寸法及び横寸法毎に格子状の領域を設定し、その設定した領域に外壁材の真物がそのまま横貼りで使用できる部分を真物割付領域として記憶すると共に、各真物割付領域に割り付けられた真物の真物識別番号を記憶する。例えば、図７において、ハッチング線によって塗りつぶされた領域が真物割付領域である。このときに、各真物割付領域の角部の座標点の位置も算出する。この算出は、図２のフローチャートにおけるステップ４において求めた絶対座標系における壁面中の各点の座標位置に基づいて行う。なお、真物を貼りつける場合に、壁面中の窓の枠、壁面の上下左右の辺の両端の点は、座標位置が記憶されているため、各真物割付領域がその窓枠の部分や各辺に含まれることとなった場合には、その窓枠や各辺において各真物割付領域が終了するものとする。
【００５６】
ステップ１２において、格子状に区切られている各領域の中で、真物割付領域以外を切物割付領域として設定する。なお、壁面中の窓の枠、壁面の上下左右の辺の両端の点は、座標位置が記憶されているため、各切物割付領域がその窓枠の部分や各辺に含まれることとなった場合には、その窓枠や各辺において各切物割付領域が終了するものとする。
【００５７】
ステップ１３において、最初に切物の割り付けを行う切物割付領域を設定する。この設定方法としては、前記した真物割付開始点Ｐからでもよく、壁面原点Ｏからでもよい。この説明においては壁面原点Ｏを切物割付開始点として設定し、この切物割付開始点から上方向に順番に切物の割り付けの開始を行い上方向に全て割り付けが行うと、次に切物割付開始点の右側にある切物割付領域に割り付けを行う順番とする。なお、この順番は任意に決定してもよい。
【００５８】
ステップ１４において、その設定された切物割付領域の縦寸法及び横寸法を計算する。この計算方法は、その割り付けを行う切物割付領域の角部の座標点から計算する。そして、この切物割付領域に対応する切物データを切物データ記憶装置２８から検索し呼び出してくる。
【００５９】
なお、南立面図の最初の位置においては切物データが存在しないため、このステップは省略される。しかし、南立面図における第２の切物割付領域における切物の割り付けや、東立面図、西立面図、北立面図における割り付けにおいてはこの切物データが存在しているため、その中から検索を行う。
【００６０】
この検索を行う「切物割付条件」としては、第１の条件として切物割付領域の横寸法と縦寸法より大きい横寸法と縦寸法を有する切物であり、第２の条件として、切物割付領域の横寸法、または、縦寸法と切物の横寸法、または、縦寸法の差が最小なものを検索する。
【００６１】
ステップ１５において、切物割付条件の第１の条件である切物割付領域の横寸法と縦寸法より大きい横寸法と縦寸法を有する切物がない場合には、該当する切物がないと判断する。また、この第１の条件に合う切物がある場合にはステップ１６に進む。
【００６２】
ステップ１６において、該当する切物をその大きさで切物割付領域に割り付けることができるか否かを判断し、その大きさのままで割り付けることができる場合にはステップ１７に進み、そうでない場合にはステップ１９に進む。この判断は、記憶されている切物の縦寸法、横寸法と、切物割付領域の縦寸法、横寸法を比較して行う。
【００６３】
ステップ１７において、その切物をそのままの大きさで割り付けることができるため、設定された切物割付領域にその切物を割り付け、その切物割付領域にその切物の切物識別番号を記憶させる。
【００６４】
ステップ１８において、割り付けた切物の切物識別番号を切物データ記憶装置２８から削除し、ステップ３０に進む。
【００６５】
ステップ１９において、ステップ１６で切物をその大きさのままで割り付けることができないと判断されたため、その切物を切物対応領域に対応して切断する。
【００６６】
ステップ２０において、その切断した切物を設定された切物割付領域に割り付ける。そして、その切物割付領域に割り付けた切物の切物識別番号を記憶させる。
【００６７】
ステップ２１において、割り付けた切物の切物識別番号を切物データ記憶装置２８から削除し、ステップ２２に進む。
【００６８】
ステップ２２では、切物を切断して残った部分が新たに切物として登録できるか否かを判断し、登録できる場合にはステップ２３において新たな切物識別番号を付与し、その縦寸法及び横寸法と共に、切物データ記憶装置２８に記憶させステップ３０に進む。また、残りの部分が切物として登録できない場合にはステップ２４においてそのデータを破棄しステップ３０に進む。ここで、残りの部分が切物として登録できるかの判断条件である「切物判定条件」については後から詳しく説明する。
【００６９】
ステップ２５において、ステップ１５で該当する切物がないと判断されたため、新たに一枚の真物をその設定された切物割付領域に対応して切断する。
【００７０】
ステップ２６において、その切断した切物を切物割付領域に割り付ける。この場合に新たに作成した切物識別番号を付与する。
【００７１】
ステップ２７においては、切断した真物の残りの部分が切物として登録できるか否かを判断する。この判断方法はステップ２２における切物判定条件と同様であり後から詳しく説明する。そして、この切物判定条件に該当するものであればその残りの部分を切物として切物データ記憶装置２８に登録する。この場合に、新たに作成した切物識別番号と縦寸法と横寸法を登録する。一方、その切物判定条件に合致しない場合にはステップ２９において破棄する。
【００７２】
ステップ３０においては、一つの切物割付領域に切物が割り付けられたため、次の切物割付領域にいくか否かを判断する。南立面図において全ての切物割付領域に切物が割り付けられた場合にはステップ３１に進み、そうでない場合にはステップ１４に戻る。
【００７３】
ステップ３１において、全ての真物割付領域及び切物割付領域に真物と切物が割り付けられたため、その状態の南立面図を表示装置１４に表示する。この場合に、図７に示すように、その表示状態としては各領域毎に割り付けられた方向（例えば、「南」である）、真物識別番号及び切物識別番号を記憶させる。
【００７４】
そして、この割り付け処理を南立面図から順番に、東立面図、西立面図、北立面図の順番で割り付けを行っていく。このときに、南立面図の中で切物の取り回しが行われ、南立面図において使用されなかった切物については東立面図における割り付けに使用される。また、南立面図、東立面図において使用されなかった切物は西立面図において使用され、南立面図、東立面図、西立面図において使用されなかった切物は北立面図において使用される。最終的に、南、東、西、北立面図においても使用されなかった切物は破棄される。
【００７５】
上記のようにこの割り付け処理においては、まず真物を割り付け、その後切物を順番に割り付け、最も合致する切物を無駄なく割り付けることができ、更に南、東、西、北の順番で取り回しを行って無駄なく切物を使用することができる。そのため、使用する外壁材の枚数を最小にすることができ、コストも削減することができる。
【００７６】
（５）切物判定条件
次に、上記ステップ２２、ステップ２７において用いられた切物判定条件について説明する。この切物判定条件は、貼りつける外壁材の種類によって異なり、それぞれ分けて説明する。
【００７７】
（５−１）第１の切物判定条件
第１の切物判定条件について、図８から図１０に基づいて説明する。
【００７８】
第１の切物判定条件において使用される外壁材は、図８に示すように外壁材３０の下辺に溝３２があり、上辺にはその溝３２に対応する突条３４が存在する。そしてこの外壁材３０を貼りつける場合には、突条３４に一つ上の外壁材３０の溝３２を嵌め込んで順番に張り付けていくものである。そのため、この外壁材３０を貼りつける場合には、必ず溝３２と突条３４が必要となる。また、傾斜面を有するものは取り回しができないため破棄する。
【００７９】
図９において、真物３６から残った部分が、切物３８か破棄する部分４０であるか否かを判定する条件について説明する。図９でハッチングで示された範囲が、切物３８の範囲であり、クロスハッチで示された範囲が破棄する部分４０である。なお、図１０、図１２、図１３においても同様である。
【００８０】
図９（ａ）は、真物３６の正面図である。
【００８１】
図９（ｂ）においては、真物３６の右上部のみを切断した状態であり、この切断した部分は、下辺に溝３２を有さないため破棄する部分４０となる。
【００８２】
図９（ｃ）においては、真物３６の中央部分を切断したものであり、この切断した部分の下辺は溝３２を有さないため破棄する部分４０となる。
【００８３】
図９（ｄ）においては、真物３６の中央部分を矩形に切断した状態であり、この切断した部分は溝３２及び突条３４も有さないため破棄する部分４０となる。
【００８４】
図９（ｅ）においては、真物３６の右半分を切断した状態であり、この残った部分は、溝３２及び突条３４も有するため、切物３８となる。
【００８５】
図９（ｆ）においては、左半分の更に上部分を切断した状態であり、この切断した部分は溝３２を有さないため破棄する部分４０となる。
【００８６】
図９（ｇ）においては、（ｅ）の状態から左半分を斜めに切断した状態であり、この切断した部分は傾斜面を有するため他の部分に転用することができないため破棄する部分４０とする。
【００８７】
図９（ｈ）においては、真物３６の上部分を切断した状態であり、この切断した部分は溝３２を有さないため破棄する部分４０となる。
【００８８】
図１０において、切物の残った部分が切物としてできるか否かを判断する状態を示す図である。
【００８９】
切物も真物と同様に溝３２と突条３４があるか否かで判断し、また、傾斜面を有するものは取り回しができないため破棄する部分４０となる。
【００９０】
図１０（ａ）において、上半分は破棄する部分４０であり、（ｂ）において右半分は切物３８であり、（ｃ）の左上部分は破棄する部分４０となり、（ｄ）の傾斜した右上部分は破棄する部分４０となり、（ｅ）における中央部分の切断部は破棄する部分４０となる。
【００９１】
なお、上記のように切物として判断されるものは全て長方形であるため、その縦寸法と横寸法を記憶しておけば、切物割付領域に割り付けられるか否かを容易に判断することができる。
【００９２】
（５−２）第２の切物判定条件
次に、図１１から図１３に基づいて第２の切物判定条件について説明する。
【００９３】
この第２の切物判定条件において使用される外壁材は、第１の切物判定条件における外壁材３０のように溝３２や突条３４を有さず、図１１に示すように、単に順番に張り合わせることができる部材である。
【００９４】
このような部材の真物３６及び切物３８においては、傾斜面を有する部分以外は全て使用することができるような状態とする。
【００９５】
すなわち、図１２（ｇ）の左半分の傾斜部分の切断部や、図１３（ｅ）の左上半分の傾斜部分が使用できないものとして破棄する部分４０となり、その他の部分は全て切物３８として使用することができる。
【００９６】
（第２の実施形態）
第１の実施形態では、設計図面をスキャナーで読み込み、その設計図面の実寸を測定したが、これに代えて、デジタルカメラで壁面を撮影し、その撮影した壁面の実寸サイズを求め、それを基準に外壁材を割り付けてもよい。
【００９７】
例えば、このデジタルカメラで撮影した画像中の壁面の実寸サイズを求める技術としては、本出願人が出願した特願２００３−６７２８５に記載された「データ生成装置及びその方法」を用いて実現することができる。
【００９８】
（変更例）
（１）第１の変更例
上記実施形態では外壁材を横張りする場合について説明したが、外壁材を縦張りする場合についても使用することができる。この場合には、縦寸法と横寸法を９０°回転させて使用すればよい。
【００９９】
（２）第２の変更例
上記実施例では建築物の外壁に外壁材を張る場合について説明したが、これに代えて建築物の中の部屋の中に内壁材や、壁紙を貼る場合についても同様に実施することができる。
【産業上の利用可能性】
【０１００】
本発明は、新築の住宅、住宅のリフォームを行う場合に外壁や内壁に外壁材や内壁材を割り付ける場合の設計支援システムとして好適である。
【図面の簡単な説明】
【０１０１】
【図１】本発明の第１の実施形態を示す設計支援装置のブロック図である。
【図２】設計支援装置の処理の内容を示すフローチャートである。
【図３】割り付け処理を示すフローチャートである。
【図４】設計図面において実寸測定を行った状態の図面である。
【図５】設計図面において初期割り付けを行った状態の図面である。
【図６】設計図面において真物割付開始点を移動させている状態の図面である。
【図７】割り付けを終了した状態の設計図面である。
【図８】第１の切物判定条件に使用される外壁材の斜視図である。
【図９】第１の切物判定条件における真物の図である。
【図１０】第１の切物判定条件における切物の正面図である。
【図１１】第２の切物判定条件の外壁材の斜視図である。
【図１２】第２の切物判定条件における真物の図面である。
【図１３】第２の切物判定条件における切物の正面図である。
【符号の説明】
【０１０２】
１０  設計支援装置
１２  制御部
１４  表示装置
１６  プリンター
１８  キーボード
２０  マウス
２２  スキャナー
２４  部材データ記憶装置
２６  真物データ記憶装置
２８  切物データ記憶装置
【図１】
2005332281.tif 000003
【図２】
2005332281.tif 000004
【図３】
2005332281.tif 000005
【図４】
2005332281.tif 000006
【図５】
2005332281.tif 000007
【図６】
2005332281.tif 000008
【図７】
2005332281.tif 000009
【図８】
2005332281.tif 000010
【図９】
2005332281.tif 000011
【図１０】
2005332281.tif 000012
【図１１】
2005332281.tif 000013
【図１２】
2005332281.tif 000014
【図１３】
2005332281.tif 000015